(57)【特許請求の範囲】
【請求項１】
下端が開放された外筒部と、前記外筒部の内部に配置され、下端が開放され且つ上端が閉鎖された有底筒状の内筒部とが一体に連結された合成樹脂成形体からなり、前記外筒部の内面に、前記内筒部より下方に軸方向に延設され且つ径方向内方に突出された複数のガイドリブが一体に形成され、且つ、前記外筒部の内面の、前記ガイドリブの下端よりも下方に離れた位置に、複数の内向突起が一体に形成されてなる筆記具等のキャップであって、
前記外筒部の内面において、前記ガイドリブ相互間の領域を軸方向下方に延長した仮想延長領域のみに前記内向突起が配置されることを特徴とする筆記具等のキャップ。
【請求項２】
前記ガイドリブ相互間の領域と、その下方に延設される前記仮想延長領域とが、略同一内径である請求項１に記載の筆記具等のキャップ。
【請求項３】
前記ガイドリブ相互間の領域の内面及び前記内方突起よりも上方の前記仮想延長領域の内面に、径方向内方に突出し且つ軸方向に延びる平面状凸部が一体に形成されてなる請求項１または２に記載の筆記具等のキャップ。
【発明の詳細な説明】
【技術分野】
【０００１】
本発明は、筆記具等のキャップに関する。
【背景技術】
【０００２】
従来、例えば、特許文献１には、外筒の内周面と有底筒体よりなる内筒の外周面とが複数の縦リブにより一体に連結され、前記縦リブの下端にペン先を内方にガイドするテーパ状のガイド部が形成され、前記縦リブの下方の外筒の内周面に面状突起が一体に形成された、合成樹脂成形体よりなる筆記具等のキャップが開示されている。
【先行技術文献】
【特許文献】
【０００３】
【特許文献１】特開平１１−１２９６８４号公報
【発明の概要】
【発明が解決しようとする課題】
【０００４】
前記特許文献１の筆記具等のキャップは、成形後、金型から成形品のキャップを取り出すとき、コアピンの縦リブ形成用の縦溝が、前記面状突起の表面に接近した位置を通過する。その際、前記コアピンの縦溝の内縁部が前記面状突起の表面に接触して前記面状突起の表面を傷つけるおそれがある。特に、縦リブ下端の内径と面状突起上端の内径との差が小さいと、コアピンを成形品から引き抜くときに、コアピンの縦溝の内縁部が面状突起の表面に接触して前記面状突起の表面を損傷させやすくなる。
もし、前記面状突起（本願の内向突起に相当）の表面が損傷されると、筆記具本体とのキャップ装着が適正になしえず、例えば、筆記具本体の外面との取付状態が不安定となったり、キャップをペン先側に装着する際、ペン先が面状突起に引っ掛かり、円滑なキャップ装着がなしえないおそれがある。
【０００５】
本発明は前記従来の問題点を解決するものであって、金型から成形品のキャップを取り出すときに、内向突起の損傷を確実に防止し、筆記具本体外面との適正な装着が可能となる筆記具等のキャップを提供しようとするものである。
【０００６】
尚、本発明において、「上」とはキャップ閉塞側を指し、「下」とはキャップ開口側を指す。
【課題を解決するための手段】
【０００７】
本願の第１の発明は、下端が開放された外筒部と、前記外筒部の内部に配置され、下端が開放され且つ上端が閉鎖された有底筒状の内筒部とが一体に連結された合成樹脂成形体からなり、前記外筒部の内面に、前記内筒部より下方に軸方向に延設され且つ径方向内方に突出された複数のガイドリブが一体に形成され、且つ、前記外筒部の内面の、前記ガイドリブの下端よりも下方に離れた位置に、複数の内向突起が一体に形成されてなる筆記具等のキャップであって、前記外筒部の内面において、前記ガイドリブ相互間の領域を軸方向下方に延長した仮想延長領域のみに前記内向突起が配置されることを要件とする。
【０００８】
前記第１の発明の筆記具等のキャップは、前記外筒部の内面において、前記ガイドリブ相互間の領域を軸方向下方に延長した仮想延長領域のみに前記内向突起が配置されること（即ち、ガイドリブの軸方向下方に延長した仮想延長領域に内向突起が存在しないこと）により、金型から成形品のキャップを取り出すときに、コアピンのガイドリブ形成用の縦溝の内縁部が前記内向突起の表面に接触して前記内向突起の表面を傷つけることを確実に防止できる。
【０００９】
本願の第２の発明は、前記第１の発明の筆記具等のキャップにおいて、前記ガイドリブ相互間の領域と、その下方に延設される前記仮想延長領域とが、略同一内径であることを要件とする。
【００１０】
前記第２の発明の筆記具等のキャップは、前記ガイドリブ相互間の領域と前記仮想延長領域とが、略同一内径であることにより、キャップの外筒部の内面の形状をシンプルにでき、外筒部の金型の製造コストを抑えることができる。ここで、ガイドリブ相互間の領域とその下方に延設される仮想延長領域とが、略同一内径とは、抜き勾配（例えば１度〜２度）を含むものである。また、前記ガイドリブ相互間の領域の内径、及び前記仮想延長領域の内径とは、内面形状が円筒状の場合はその内径をいい、内面形状がその他の形状（例えば、平面状、凸曲面状等）の場合は、その内面に接する仮想内接円の直径をいう。
【００１１】
本願の第３の発明は、本願の第１の発明または第２の発明の筆記具等のキャップにおいて、前記ガイドリブ相互間の領域の内面及び前記内方突起よりも上方の前記仮想延長領域の内面に、径方向内方に突出し且つ軸方向に延びる平面状凸部が一体に形成されてなることを要件とする。
【００１２】
前記第３の発明の筆記具等のキャップは、前記ガイドリブ相互間の領域の内面及び前記内方突起より上方の前記仮想延長領域の内面に、径方向内方に突出し且つ軸方向に延びる平面状凸部が一体に形成されてなることにより、内向突起よりも上方の外筒部の内面の平面状凸部により、金型のコアピンを抜く際のアンダーカットとなる内向突起のアンダーカット量を減少させ、適正形状の内向突起を得ることができる。
【発明の効果】
【００１３】
本発明の筆記具等のキャップは、金型から成形品を取り出すときに、内向突起の損傷を確実に防止し、筆記具本体外面との適正な装着が可能となる。
【図面の簡単な説明】
【００１４】
【図１】本発明の第１の実施の形態の縦断面図である。
【図２】図１の底面図である。
【図３】本発明の第２の実施の形態の縦断面図である。
【図４】図３の底面図である。
【発明を実施するための形態】
【００１５】
＜第１の実施の形態＞
本発明の筆記具等のキャップの実施の形態を図面に従って説明する。（図１及び図２参照）
【００１６】
キャップ１は、外筒部２と、当該外筒部２の内面に一体に連結された内筒部３とからなる。キャップ１は、合成樹脂（例えば、ポリプロピレン、ポリエチレン等）の射出成形により製造される。外筒部２は、上端が閉鎖され且つ下端が開放された有底筒状に形成されている。内筒部３は、上端が閉鎖され且つ下端が開放された有底筒状に形成されている。外筒部２の上端と内筒部３の上端とは、連結壁部４により一体に連結されている。内筒部３の下端は、外筒部２の下端よりも上方に位置されている。外筒部２の内面は、円筒状に形成されている。外筒部２の外面は、横断面が略６角形状を有し、各辺の角部にＲ曲面を備える。内筒部３の外面及び内筒部３の内面は円筒状に形成されている。
【００１７】
・ガイドリブ
外筒部２の内面には、径方向内方に突出され且つ軸方向に延びる複数本（例えば１２本）のガイドリブ２１が一体に形成されている。各々のガイドリブ２１は、外筒部２の内面に等間隔に配置されている。各々のガイドリブ２１は、外筒部２の内面の上端から内筒部３の下端より下方に延設されている。各々のガイドリブ２１の上端は、連結壁部４に一体に連設されている。各々のガイドリブ２１の下端は、内筒部３の下端より下方且つ外筒部２の下端より上方の位置に配置されている。各々のガイドリブ２１は、少なくとも内筒部３の下端より下方に延設されている。各々のガイドリブ２１は、キャップ１を筆記具本体のペン先側に装着する際、ペン先を内筒部３に案内するものである。各々のガイドリブ２１は、下端に第１の傾斜部２１ａを備え、当該第１の傾斜部２１ａより上方且つ内筒部３の下端よりも下方に第２の傾斜部２１ｂを備える。各々のガイドリブ２１の径方向内端部（径方向頂部）と内筒部３の側壁外面との間には隙間が形成されており、各々のガイドリブ２１の径方向内端部と内筒部３の側壁外面とは非接触状態に維持されている。それにより、内筒部３の肉厚変動を抑え、内筒部３の内面のヒケの発生を回避できる。
【００１８】
・内向突起
外筒部２の下端部近傍内面には、径方向内方に突出する複数（例えば６個）の内向突起２２が一体に形成されている。各々の内向突起２２は、ガイドリブ相互間の領域５を軸方向下方に延長した仮想延長領域６のみに配置されている。各々の内向突起２２は、外筒部２の内面のガイドリブ２１の下端よりも下方に離れた位置に一体に形成されている。各々の内向突起２２は、キャップ１を筆記具本体のペン先側に装着した状態において、筆記具本体の外面と嵌合されている。ガイドリブ相互間の領域５と、その下方に延設される仮想延長領域６とが、略同一内径である。
【００１９】
・シール部
内筒部３の内面には環状にシール部３１が形成される。シール部３１は、キャップ１を筆記具本体のペン先側に装着した状態において、筆記具本体の外面と気密嵌合され、ペン先が密封状態にされる。シール部３１は、環状突起または環状平滑面からなる
【００２０】
本実施の形態の筆記具等のキャップ１は、外筒部２の内面において、ガイドリブ相互間の領域５を軸方向下方に延長した仮想延長領域６のみに内向突起２２が配置されること（即ち、ガイドリブ２１の軸方向下方に延長した仮想延長領域６に内向突起２２が存在しないこと）により、金型から成形品のキャップ１を取り出すときに、コアピンのガイドリブ２１形成用の縦溝の内縁部が内向突起２２の表面に接触して内向突起２２の表面を傷つけることを確実に防止できる。
【００２１】
本実施の形態の筆記具等のキャップ１は、ガイドリブ相互間の領域５と仮想延長領域６とが、略同一内径であることにより、キャップ１の外筒部２の内面の形状をシンプルにでき、外筒部２の金型の製造コストを抑えることができる。
【００２２】
＜第２の実施の形態＞
本発明の筆記具等のキャップの実施の形態を図面に従って説明する。（図３及び図４参照）
【００２３】
キャップ１は、外筒部２と、当該外筒部２の内面に一体に連結された内筒部３とからなる。キャップ１は、合成樹脂（例えば、ポリプロピレン、ポリエチレン等）の射出成形により製造される。外筒部２は、上端が閉鎖され且つ下端が開放された有底筒状に形成されている。内筒部３は、上端が閉鎖され且つ下端が開放された有底筒状に形成されている。外筒部２の上端と内筒部３の上端とは、連結壁部４により一体に連結されている。内筒部３の下端は、外筒部２の下端よりも上方に位置されている。外筒部２の内面は、円筒状に形成されている。外筒部２の外面は、横断面が略６角形状を有し、各辺の角部にＲ曲面を備える。内筒部３の外面及び内筒部３の内面は円筒状に形成されている。
【００２４】
・ガイドリブ
外筒部２の内面には、径方向内方に突出され且つ軸方向に延びる複数本（例えば１２本）のガイドリブ２１が一体に形成されている。各々のガイドリブ２１は、外筒部２の内面に等間隔に配置されている。各々のガイドリブ２１は、外筒部２の内面の上端から内筒部３の下端より下方に延設されている。各々のガイドリブ２１の上端は、連結壁部４に一体に連設されている。各々のガイドリブ２１の下端は、内筒部３の下端より下方且つ外筒部２の下端よりも上方の位置に配置されている。各々のガイドリブ２１は、少なくとも内筒部３の下端より下方に延設されている。各々のガイドリブ２１は、キャップ１を筆記具本体のペン先側に装着する際、ペン先を内筒部３に案内するものである。各々のガイドリブ２１は、下端に傾斜部２１ｃを備える。各々のガイドリブ２１の径方向内端部（径方向頂部）と内筒部３の側壁外面との間には隙間が形成されており、各々のガイドリブ２１の径方向内端部と内筒部３の側壁外面とは非接触状態に維持されている。それにより、内筒部３の肉厚変動を抑え、内筒部３の内面のヒケの発生を回避できる。
【００２５】
・内向突起
外筒部２の下端部近傍内面には、径方向内方に突出する複数（例えば６個）の内向突起２２が一体に形成されている。各々の内向突起２２は、ガイドリブ相互間の領域５を軸方向下方に延長した仮想延長領域６のみに配置されている。各々の内向突起２２は、外筒部２の内面のガイドリブ２１の下端よりも下方に離れた位置に一体に形成されている。各々の内向突起２２は、キャップ１を筆記具本体のペン先側に装着した状態において、筆記具本体の外面と嵌合されている。ガイドリブ相互間の領域５と、その下方に延設される仮想延長領域６とが、略同一内径である。
【００２６】
・平面状凸部
ガイドリブ相互間の領域５の内面及び内方突起より上方の仮想延長領域６の内面に、径方向内方に突出する複数本の平面状凸部２３が一体に形成されている。各々の平面状凸部２３の下端が、各々の内向突起２２の上端と接続されている。平面状凸部２３は、内向突起２２と同数の６本を有している。各々の平面状凸部２３の上端が、連結壁部４と接続されている。
【００２７】
・シール部
内筒部３の内面には環状にシール部３１が形成される。シール部３１は、キャップ１を筆記具本体のペン先側に装着した状態において、筆記具本体の外面と気密嵌合され、ペン先が密封状態にされる。シール部３１は、環状突起または環状平滑面からなる
【００２８】
本実施の形態の筆記具等のキャップ１は、外筒部２の内面において、ガイドリブ相互間の領域５を軸方向下方に延長した仮想延長領域６のみに内向突起２２が配置されること（即ち、ガイドリブ２１の軸方向下方に延長した仮想延長領域６に内向突起２２が存在しないこと）により、金型から成形品のキャップ１を取り出すときに、コアピンのガイドリブ２１形成用の縦溝の内縁部が内向突起２２の表面に接触して内向突起２２の表面を傷つけることを確実に防止できる。
【００２９】
本実施の形態の筆記具等のキャップ１は、ガイドリブ相互間の領域５と仮想延長領域６とが、略同一内径であることにより、キャップ１の外筒部２の内面の形状をシンプルにでき、外筒部２の金型の製造コストを抑えることができる。
【００３０】
本実施の形態の筆記具等のキャップ１は、ガイドリブ相互間の領域５の内面及び内方突起より上方の仮想延長領域６の内面に、径方向内方に突出し且つ軸方向に延びる平面状凸部２３が一体に形成されてなることにより、内向突起２２よりも上方の外筒部２の内面の平面状凸部２３により、金型のコアピンを抜く際のアンダーカットとなる内向突起２２のアンダーカット量を減少させ、適正形状の内向突起２２を得ることができる。
【００３１】
本発明の筆記具等のキャップ１は、例えば、マーキングペン、サインペン、ボールペン等の一般的な筆記具のほか、修正液、化粧液、接着剤等の塗布液を収容した塗布具にも適用可能である。
【符号の説明】
【００３２】
１  キャップ
２  外筒部
２１  ガイドリブ
２１ａ  第１の傾斜部
２１ｂ  第２の傾斜部
２１ｃ  傾斜部
２２  内向突起
２３  平面状凸部
３  内筒部
３１  シール部
４  連結壁部
５  ガイドリブ相互間の領域
６  仮想延長領域             
【図１】
0006637384.tif 000002
【図２】
0006637384.tif 000003
【図３】
0006637384.tif 000004
【図４】
0006637384.tif 000005